(57)【要約】【課題】  現場への搬入、現場からの搬出が容易な足場を提供する。【解決手段】  建物の室内に設置された障害物１５の上方の天井部１２の工事に用いられる足場１であって、前記障害物１５の外側に前記障害物１５を間に挟んで設置され、各々が軽量材からなる複数のブロック状又は箱状の部材３を組み合わせてなる複数の支持部材２と、該複数の支持部材２の上部間に前記障害物１５を跨いだ状態で架け渡される床部材８とからなる。足場１を構成する支持部材２の部材３、及び床部材８を軽量材で形成しているので、現場へ搬入して設置する作業、現場から撤去して搬出する作業を容易に、短時間で、効率良く行うことができる。【選択図】  図１
2011080333.tif 000002
【特許請求の範囲】
【請求項１】
建物の室内に設置された障害物の上方の天井部の工事に用いられる足場であって、
前記障害物を間に挟んで設置され、各々が軽量材からなる複数のブロック状又は箱状の部材を組み合わせてなる複数の支持部材と、該複数の支持部材の上部間に前記障害物を跨いだ状態で架け渡される床部材とからなることを特徴とする足場。
【請求項２】
前記部材は、プラスチック、紙、木、金属、又は軽石製であることを特徴とする請求項１に記載の足場。
【請求項３】
前記床部材は、前記複数の支持部材の上部間に前記障害物を跨いだ状態で架け渡される軽量材からなる複数の梁材から構成され、又は、前記複数の梁材と、該複数の梁材の上部に設けられる軽量材からなる少なくとも１枚の床材とから構成されていることを特徴とする請求項１又は２に記載の足場。
【請求項４】
前記梁材は、プラスチック、紙、木、又は金属製のパイプからなり、前記床材は、プラスチック、紙、木、又は金属製の板材からなることを特徴とすることを特徴とする請求項３に記載の足場。
【請求項５】
建物の室内に配置された障害物の上方の天井部の工事に用いられる足場の設置方法であって、
軽量材からなる複数のブロック状又は箱状の部材を組み合わせてなる複数の支持部材を前記障害物を間に挟んだ状態で設置し、前記両支持部材の上部間に、軽量材からなる床部材を前記障害物を跨いだ状態で架け渡すことを特徴とする足場の設置方法。
【請求項６】
建物の室内に配置された障害物の上方の天井部のリニューアル工法であって、
軽量材からなる複数のブロック状又は箱状の部材を組み合わせてなる複数の支持部材を前記障害物を間に挟んだ状態で設置し、前記両支持部材の上部間に、軽量材からなる床部材を前記障害物を跨いだ状態で架け渡し、該床部材を作業床として用いて、前記天井部に対して各種の工事を行うことを特徴とするリニューアル工法。
【発明の詳細な説明】
【技術分野】
【０００１】
本発明は、足場、足場の設置方法、及びリニューアル工法に関し、特に、建物の室内に設置された机、椅子、各種の事務機器等の障害物を移動させることなく設置し、障害物の上方の天井部に対して行う各種の工事に有効な足場、足場の設置方法、及びリニューアル工法に関する。
【背景技術】
【０００２】
建物の室内の天井部に対して、天井板の張り替え、配管、配線等の交換、増設等の各種の工事を行う場合、室内に設置されている机、椅子、事務機器等の障害物を避けて足場を設置し、この足場を利用することにより、障害物を移動させることなく障害物の上方の天井部に対して各種の工事を行っている。
【０００３】
例えば、障害物の両外側に障害物を避けて一対の脚立を設置し、両脚立の上部間に障害物を跨いだ状態で足場板を架け渡し、障害物の上部を養生シートで覆い、この状態で障害物の上方の天井部に対して各種の工事を行っている。
【０００４】
しかし、上記のような構成の足場にあっては、脚立及び足場板の重量が非常に重いため、作業者が現場に搬入して設置する作業、及び工事の完了後に現場から撤去して搬出する作業に非常に手間がかかる。
【０００５】
足場の他の例が特許文献１、２に記載されている。特許文献１に記載の足場は、移動式の足場であって、鉛直に設けられる４本の支柱と、４本の支柱のうちの隣接する２本の支柱の上端間に水平に取り付けられる上部横材と、上部横材の上部に取り付けられるパイプ材と、パイプ材の上部に掴み金具を介して取り付けられる長方形板状の複数の足場板と、上部横材と各支柱との間に斜めに取り付けられる補強筋交いとを備えている。
【０００６】
また、特許文献２に記載の足場は、移動式の足場であって、折り畳み可能な２枚の作業床と、２枚の作業床を支持する４本の脚部と、各脚部の下端に設けられるキャスターと、各脚部と各作業床との間に斜めに取り付けられる斜杆と、各作業床の２本の脚部間に取り付けられる横杆と、２枚の作業床の２本の脚部間に取り付けられる連結杆とを備えている。
【先行技術文献】
【特許文献】
【０００７】
【特許文献１】実開平７−１９４８８号公報
【特許文献２】実公平７−３５９９８号公報
【発明の概要】
【発明が解決しようとする課題】
【０００８】
特許文献１、２に記載の足場は、移動可能に構成されているので、作業者が工事現場へ搬入して設置する作業、工事の完了後に工事現場から撤去して搬出する作業に手間がかるようなことはない。
【０００９】
しかし、特許文献１に記載の足場は、２本の支柱間に補強筋交いが斜めに取り付けられ、また、特許文献２に記載の足場は、作業床と脚物との間に斜めに斜杆が取り付けられ、２本の脚部間に横杆及び連結杆が水平に取り付けられているため、それらが邪魔になり、室内に設置されている障害物の大きさ、高さによっては設置できないことがある。その場合、障害物を移動させて設置し、工事の完了後に足場を撤去し、障害物を元の位置に戻さなければならず、それらの作業に非常に手間がかかる。
【００１０】
本発明は、上記のような従来の問題に鑑みなされたものであって、室内の工事現場に容易に搬入して設置し、工事の完了後に容易に分解して搬出することができるとともに、室内に設置されている障害物を移動させることなく室内に設置できる足場、足場の設置方法、及びリニューアル工法を提供することを目的とする。
【課題を解決するための手段】
【００１１】
上記のような課題を解決するために、本発明は、以下のような手段を採用している。
すなわち、本発明は、建物の室内に設置された障害物の上方の天井部の工事に用いられる足場であって、前記障害物を間に挟んで設置され、各々が軽量材からなる複数のブロック状又は箱状の部材を組み合わせてなる複数の支持部材と、該複数の支持部材の上部間に前記障害物を跨いだ状態で架け渡される床部材とからなることを特徴とする。
【００１２】
本発明の足場によれば、足場を、複数の支持部材と床部材とによって構成し、各支持部材を軽量材からなる複数の部材を組みあせて構成し、床部材を軽量材によって構成したので、室内の工事現場へ搬入して設置する作業、工事の完了後に、室内の工事現場から撤去して搬出する作業を容易に、短時間で、効率良く行うことができる。
【００１３】
また、本発明において、前記部材は、プラスチック、紙、木、金属、又は軽石製であることとしてもよい。
【００１４】
さらに、本発明において、前記床部材は、前記複数の支持部材の上部間に前記障害物を跨いだ状態で架け渡される軽量材からなる複数の梁材から構成され、又は、前記複数の梁材と、該複数の梁材の上部に設けられる軽量材からなる少なくとも１枚の床材とから構成されていることとしてもよい。
【００１５】
本発明の足場によれば、複数の梁材を複数の支持部材の上部間に架け渡すことにより、床部材を構成することができる。また、複数の梁材を複数の支持部材の上部間に架け渡し、複数の梁材の上部に少なくとも１枚の床材を設けることにより、床部材を構成することができる。この場合、梁材、及び床材は、軽量材から形成されているので、複数の梁材を複数の支持部材の上部間に架け渡す作業、少なくとも１枚の床材を複数の梁材の上部に設ける作業を、容易に、短時間で、効率良く行うことができる。
【００１６】
さらに、本発明において、前記梁材は、プラスチック、紙、木、又は金属製のパイプからなり、前記床材は、プラスチック、紙、木、又は金属製の板材からなることとしてもよい。
【００１７】
さらに、本発明は、建物の室内に配置された障害物の上方の天井部の工事に用いられる足場の設置方法であって、軽量材からなる複数のブロック状又は箱状の部材を組み合わせてなる複数の支持部材を前記障害物を間に挟んだ状態で設置し、前記両支持部材の上部間に、軽量材からなる床部材を前記障害物を跨いだ状態で架け渡すことを特徴とする。
【００１８】
さらに、本発明は、建物の室内に配置された障害物の上方の天井部のリニューアル工法であって、軽量材からなる複数のブロック状又は箱状の部材を組み合わせてなる複数の支持部材を前記障害物を間に挟んだ状態で設置し、前記両支持部材の上部間に、軽量材からなる床部材を前記障害物を跨いだ状態で架け渡し、該床部材を作業床として用いて、前記天井部に対して各種の工事を行うことを特徴とする。
【発明の効果】
【００１９】
以上、説明したように、本発明の足場、足場の設置方法、及びリニューアル工法によれば、室内の工事現場に搬入して設置する作業、工事完了後に室内から撤去して搬出する作業を容易に、短時間で、効率よく行うことができる。
【図面の簡単な説明】
【００２０】
【図１】本発明による足場の一実施の形態を示した平面図である。
【図２】図１のＡ矢視図である。
【図３】図１の足場の支持部材の斜視図である。
【図４】図１の足場の支持部材の部材の他の例を示す斜視図である。
【発明を実施するための形態】
【００２１】
以下、図面を参照しながら本発明の実施の形態について説明する。
図１〜図４には、本発明による足場の一実施の形態が示されている。この足場１は、建物の室内の天井部１２に対して行う各種の工事（例えば、天井板の張替え工事、配管、配線の交換、増設工事等のリニューアル工事）に用いられるものであって、室内の床１３上に設置された机、椅子、各種の事務機器等の障害物１５を移動させることなく、障害物１５の上方の天井部１２に対して各種の工事を行うのに有効なものである。
【００２２】
すなわち、本実施の形態の足場１は、室内の床１３上に設置された障害物１５の両側に障害物１５を避けて設置される一対の支持部材２、２と、両支持部材２、２の上部間に障害物１５を跨いだ状態で架け渡される床部材８とから構成され、この足場１の床部材８の上部に作業者が乗った状態で障害物１５の上方の天井部１２に対して各種の工事を行うようになっている。
【００２３】
本実施の形態においては、室内の床１３上に６組の机、椅子（以下、「障害物１５」という。）が平面視略長方形状をなすように設置され、この障害物１５の両長辺１６、１６の外側に所定の間隔をおいて、かつ両長辺１６、１６に沿うように一対の支持部材２、２が設置されている。
【００２４】
各支持部材２は、複数のブロック状又は箱状の部材３を組み合わせることによって所定の大きさの直方体状に形成されている。本実施の形態においては、９個のブロック状の部材３を組み合わせることにより、幅：９００ｍｍ、長さ：５４００ｍｍ、高さ：１３５０ｍｍの直方体状に形成されている。
【００２５】
各支持部材２を構成する各部材３は、作業者が一人で運搬可能な大きさ、重量（例えば、２０ｋｇ以下）の軽量材から形成されている。軽量材としては、例えば、プラスチック、紙、木、金属、軽石等が挙げられる。
【００２６】
本実施の形態においては、軽量材として発泡スチロールを用い、各部材３を、幅：９００ｍｍ、長さ：１８００ｍｍ、高さ：４５０ｍｍ、重量：約２０ｋｇの中実の直方体状に形成している。そして、この大きさの部材３を上下に３段に重ねたものを一組とし、この一組の部材３を障害物１５の各長辺１６の外側に各長辺１６に沿うように３組設置し、各支持部材２を上記の大きさの直方体状に形成している。
【００２７】
また、各支持部材２を構成する各部材３は、一対の支持部材２、２の上部間に後述する床部材８を架け渡し、床部材８の上部に工事用の材料や各種の機材を載せ、さらに、床部材８の上部に作業者が乗って天井部１２に対して各種の作業を行う場合に、それらの荷重を一対の支持部材２、２で支持できるように、強度が設定されている。
【００２８】
各支持部材２を構成する９個の部材３は、室内の床１３上に載置するだけでもよいし、各組の上下の部材３、３間、及び障害物１５の長辺１６方向に隣接する二組の部材３、３間を粘着テープ等によって分離可能に接合するように構成してもよい。
【００２９】
また、各部材３は、図４に示すように、上面４に凸部５を設け、下面６に上面４の凸部５と嵌合可能な凹部７を設け、各組の下側の部材３の上面４の凸部５とその上側の部材３の下面６の凹部７とを相互に嵌合させることにより、各組の上下の部材３、３同士を分離可能に結合するように構成してもよい。
【００３０】
部材３の上面４に凸部５を設け、下面に凹部７を設けることにより、障害物１５の長辺１６方向に隣接する二組の部材３、３の最上位の部材３、３の上面間に一つの部材３を架け渡し、この部材３の下面６の凹部７と各組の最上位の部材３の上面４の凸部５とを相互に嵌合させるように構成してもよい。このような構成とすることにより、隣接する二組の部材３、３同士を分離可能に結合することができる。
【００３１】
床部材８は、一対の支持部材２、２の上部間に障害物１５を跨ぐように架け渡される複数本の梁材９と、複数の梁材９の上部に設けられる床材１０とによって構成され、床材１０の上部に作業者が乗った状態で障害物１５の上方の天井部１２に対して各種の工事を行うようになっている。
【００３２】
梁材９は、作業者が一人で運搬可能な大きさ、重量（例えば、２０ｋｇ以下）の軽量材から形成されるパイプ状をなすものであって、軽量材としては、例えば、プラスチック、紙、木、金属等が挙げられる。本実施の形態においては、繊維強化プラスチック製の丸型のパイプ９ａを用い、この丸型のパイプ９ａによって梁材９を所定の長さに形成し、この梁材９を一対の支持部材２、２の上部間に所定の間隔ごとに複数本架け渡している。
【００３３】
梁材９は、複数の梁材９の上部に床材１０を設け、床材１０の上部に工事用の材料や各種の機材を載せ、さらに、床材１０の上部に作業者が乗って天井部１２に対して作業を行う際に、それらの重量を複数本の梁材９で支持できるように、一対の支持部材２、２の上部間に架け渡される本数、及び強度が設定されている。
【００３４】
各梁材９は、一対の支持部材２、２の上部間に架け渡したまたの状態としてもよいし、一対の支持部材２、２の上部間に架け渡した状態で、両端を各支持部材２の上部にバンド等の固定部材によって分離可能に固定するように構成してもよい。
【００３５】
床材１０は、作業者が一人で運搬可能な大きさ、重量（例えば、２０ｋｇ以下）の軽量材から形成される板状をなすものであって、軽量材としては、例えば、プラスチック、紙、木、金属等が挙げられる。本実施の形態においては、所定の大きさ、重量のハニカム構造の段ボール１０ａを用い、この段ボール１０ａを複数の梁材９の上部に複数枚並べることによって床材１０を構成している。
【００３６】
複数枚の段ボール１０ａは、隣接する段ボール１０ａ、１０ａ間に隙間が形成されないように、複数本の梁材９の上部に並べられ、これらの複数枚の段ボール１０ａからなる床材１０によって障害物１５の上方が覆われ、この床材１０の上部に作業者が乗った状態で障害物１５の上方の天井部１２に対して各種の工事を行うようになっている。
【００３７】
各段ボール１０ａは、両端が各梁材９の両端から外方に所定の長さ張り出るように、全長が設定されている。複数の段ボール１０ａは、複数の梁材９の上部に載せたままの状態でもよいし、隣接する段ボール１０ａ、１０ａ間を粘着テープ等で分離可能に接合してもよいし、各段ボール１０ａの両端を固定ねじ等によって梁材９に分離可能に固定するように構成してもよい。
【００３８】
各段ボール１０ａは、その上部に載せられる工事用の材料や各種の機材の重量、及びその上部に乗って作業を行う作業者の重量を受けた場合に、それらの重量によって変形等しないように強度が設定されている。
【００３９】
上記のように構成した本実施の形態による足場１を用いて室内の天井部１２に対して各種の工事を行うには、作業者が一人で工事対象となる室内に出入口から足場１の構成部材を搬入する。
【００４０】
そして、室内に設置されている障害物１５の各長辺１６、１６の外側に所定の間隔をおいて９個の部材３を載置し、各長辺１６に沿って９個の部材３からなる直方体状の支持部材２を設置する。この場合、必要に応じて、各支持部材２の各組の上下の部材３、３間を粘着テープ等によって分離可能に接合し、隣接する二組の部材３、３間を粘着テープ等によって分離可能に接合する。
【００４１】
次に、一対の支持部材２、２の上部間に所定の間隔ごとに複数本の梁材９を架け渡し、複数本の梁材９の上部に複数枚の段ボール１０ａを載せ、複数本の梁材９の上部に複数枚の段ボール１０ａからなる床材１０を構成する。
【００４２】
この場合、必要に応じて、各梁材９の両端を固定ねじ等の固定部材によって支持部材２に分離可能に固定し、段ボール１０ａの両端を梁材９に固定ねじ等の固定部材によって分離可能に固定し、隣接する段ボール１０ａ、１０間を粘着テープ等によって分離可能に接合する。
【００４３】
このようにして、一対の支持部材２、２を障害物１５の両外側に設置し、一対の支持部材２、２の上部間に複数本の梁材９を架け渡し、複数本の梁材９の上部に複数枚の段ボール１０ａを載せて床材１０を構成することにより、室内に足場１を設置することができる。
【００４４】
そして、上記のように設置した足場１の床材１０の上部に工事用の材料や各種の機材を載せ、床材１０の上部に作業者が乗ってそれらの材料や機材を用いて天井部１２に対して作業を行うことにより、障害物１５を移動させることなく、障害物１５の上方の天井部１２の天井板の張り替え、配線や配管の交換や増設等の各種の工事を行うことができる。そして、天井部１２に対する各種の工事が終了した後に、足場１を分解し、室内から搬出する。
【００４５】
上記のように構成した本実施の形態による足場１にあっては、足場１を構成する支持部材２、床部材８の梁材９、及び床材１０を、作業者が一人で運搬可能な大きさ、重量（例えば、２０ｋｇ以下）の軽量材から形成したので、室内へ搬入して設置する作業、工事完了後に分解して室内から搬出する作業を、容易に、短時間で、費用をかけることなく行うことができる。
【００４６】
また、足場１を構成する支持部材２は、発泡スチロールから形成され、梁材９は、繊維強化プラスチック製の丸型のパイプ９ａから形成され、さらに、床材１０は、ハニカム構造の段ボール１０ａから形成される簡単な構造のものであるので、足場１全体としての価格を安く抑えることができる。
【００４７】
なお、上記の説明においては、各支持部材２を９個の部材３を組み合わせることによって直方体状に形成したが、障害物１５の大きさによっては、８個以下の部材３、又は１０個以上の部材３を組み合わせることにより、直方体状の各支持部材２を構成してもよいし、一つの部材３によって直方体状の各支持部材２を構成してもよい。
【００４８】
また、上記の説明においては、各支持部材２の各部材３を中実の直方体状に形成したが、直方体に限らず、その他の中実の立体形状（円柱状、角柱状等）に形成してもよいし、各部材３を中空（箱状）に形成し、複数の部材３を組み合わせることにより、中空の直方体、円柱、角柱等の立体形状の支持部材２を構成してもよい。
【００４９】
さらに、上記の説明においては、梁材９に丸型のパイプ９ａを用いたが、角型のパイプを用いてもよいし、丸棒状、角棒状、帯板状等の部材によって梁材９を構成してもよい。
【００５０】
さらに、上記の説明においては、床部材８を、複数の梁材９と床材１０とによって構成したが、複数の梁材９のみによって構成してもよい。その場合には、隣接する梁材９、９間に隙間が形成されないように、複数の梁材９を密着した状態で一対の支持部材２、２の上部間に架け渡せばよい。
【符号の説明】
【００５１】
１  足場
２  支持部材
３  部材
４  上面
５  凸部
６  下面
７  凹部
８  床部材
９  梁材
９ａ  丸型のパイプ
１０  床材
１０ａ  段ボール
１２  天井部
１３  床
１５  障害物
１６  長辺  
【図１】
2011080333.tif 000003
【図２】
2011080333.tif 000004
【図３】
2011080333.tif 000005
【図４】
2011080333.tif 000006